(57)【要約】【課題】花瓶を据え置く際に、花瓶の安定を図るとともに、花瓶の観賞を損なわないことを課題とする。【解決手段】底板（１）と１体となる十字型スライドレール（４）に摺動可能となるＬ型の保持具（５）を備え該保持具（５）を付け替えることで支持部の高さを変え、花瓶を支持することを可能とした花瓶保持台。【選択図】図１
2018143676.tif 000002
【特許請求の範囲】
【請求項１】
花瓶保持台において平面視十字型となるスライドレールと底板とが一体であり、該スライドレールにＬ型の保持具を備え、固定ボルトの利用により摺動可能とし、花瓶の４箇所をＬ型の保持具を付け替えて高さを変更し支持することを特徴とする花瓶保持台。
【発明の詳細な説明】
【技術分野】
【０００１】
本発明は、花瓶を据え置く際に転倒を防止するための保持台に関する。
【背景技術】
【０００２】
花瓶に花を生けてテーブルや棚の上に置き、花を観賞する風習があり、店舗や特に飲食店ではカウンターに飾ることも多い。しかし花瓶は倒れやすいものであり、倒れるのみならず棚等から落下し破損する事故も起きやすいものである。これは花瓶の形状が観賞を重視した形状であり、底面はあまり広く作られていないものが多く、また花を生けた際は重心も高く、整えた花によって偏心状態が著しいものとなっているからである。よって僅かな力が加わっただけで倒れやすく、例えば少し触れただけであったり、ペットが接触したり、また窓を開けた際の風の影響で倒れたりするものである。
【０００３】
そこで、転倒防止として特許文献１には、可動となる脚部を備えた支持台座が開示されている。この脚部は多数備えることもでき、花瓶の形状による角度にも対応でき効果的な支持状態といえる。また特許文献２には、保持部材が支柱を介し上下動することで曲線形状の花瓶に対応しやすく、安定した状態で保持できる形態が開示されている。
【先行技術文献】
【特許文献】
【０００４】
【特許文献１】特開２０１３−１６５９３７号公報
【特許文献２】特開２０１４−０７６２５２号公報
【発明の概要】
【発明が解決しようとする課題】
【０００５】
しかし特許文献１はスライド可動部分及びアーム式の可動部分の可動範囲が狭いものであり、仮に可動範囲を広くすると装置は非常に大きくなる。よってコストやスペースにおいてリスクが大きく、移動や設置手間においても花瓶に用いるには不適切であり、観賞にも向いていない。この形態は長期の展示や大型展示物に対する構造といえる。
【０００６】
特許文献２においては構造が簡素でありコスト面でも有利であり、適応できる花瓶に対しては非常に安定した構造である。しかし観賞に対しては不適切であり、花瓶の形状、例えば円筒形や角柱形には対応できず、小さな花瓶にも利用できない、つまり対応できる花瓶の種類が少ないといえる。
【０００７】
そこで多くの種類の花瓶に対応でき、花瓶の観賞を妨げない構造の花瓶保持台を提供することを課題とする。
【課題を解決するための手段】
【０００８】
本願発明の特徴は、花瓶の低い位置において支持する構造である。支持するための支点は底面に対し十字型となる４方からであり、支点の高さは花瓶の大きさ（高さ）に対応するため、高さを変えることのできる構造とする。
【０００９】
花瓶保持具としての構造は、花瓶を据え置くための底板があり、スライドレールを十字型にて備える。このスライドレールを利用し保持具が移動することで、花瓶の底部の幅に対し対応可能となる。また保持具の高さを２種類（高低）とし、付け替えることで花瓶の支点の高さを変えることができる。
【発明の効果】
【００１０】
これらの構造により花瓶の低い位置にて支持することができ、特に筒状の花瓶に対しては安定した状態といえる。何れにしろ転倒防止のためであれば花瓶の形状を底面の広い安定したものにすればよいのだが、本願発明の目的（課題）は花瓶を観賞することにあり、転倒防止の効果は大きくないものの、通常の転倒に対しては十分な効果を有するといえる。
【図面の簡単な説明】
【００１１】
【図１】本発明による花瓶保持台の平面図
【図２】花瓶保持台の側面図
【図３】保持具の低利用時と高利用時との対比平面図
【図４】保持具の低利用時と高利用時との対比側面図
【図５】Ａ−Ａ´断面図
【図６】Ｂ−Ｂ´断面図
【図７】Ｃ−Ｃ´断面図
【発明を実施するための形態】
【００１２】
形態について詳しく説明すると、花瓶を据え置く為の置き台として底板（１）を設ける。花瓶を保持するための保持具（５）が摺動するためのスライドレール（４）は十字型に備えられる。中心部は保持具（５）が密着する必要はなく、当然スライドレール（４）も交差する必要はない。図１中の破線がスライドレール（４）を現す。
【００１３】
スライドレール（４）は厚さがあり（図６参照）よって底板（１）とスライドレール（４）の上面とが同一面とならないと、花瓶を安定して据え置くことができない。そこで図７による底板（１）の外周に外周脚部（２）を設ける。また中央部に中央脚部（３）を設けることも効果的と考えられる。しかし、スライドレール（４）の底面と外周脚部（２）の底面とが同一面となることでスライドレール（４）の底面が重量を支持できるため特に必要ともいえない。図７の破線がスライドレール（４）の底面である。ここでもう一つの形態として考えられるのが、スライドレール（４）のみにて構成し、底板を４分の１に分割した底板マットとしてスライドレール（４）の間に扇形の４枚の底板マットとして配置することも可能である。しかしマットのずれや、清掃時等多少のリスクも発生する。安定性や見た目等１体型が秀れると考えられる。
【００１４】
次に保持具（５）について説明すると、保持プレート（６）はＬ型であり、図３、４によると保持具（低）（５ａ）と保持具（高）（５ｂ）からなり花瓶を支持する側に保持パッド（７）を備える。これは仮に保持プレート（６）が樹脂の場合、滑りやすく安定性を欠くものであることによる。しかし保持プレート（６）が硬質ゴム等の場合は保持パッド（７）は必要ないものである。
【００１５】
保持プレート（６）は、固定ボルト（８）とナット（９）とに連結される。固定ボルト（８）はつまみ部（８ａ）とネジ山部（８ｂ）とからなる。ナット（９）は図６によるスライドレール（４）の内側において、ナット（９）が回転しない幅に形成されており、これは四角形の平ナットを使ったりすることで手の届かない箇所のナットが回転しない構造とすることは周知の通りである。つまみ部（８ａ）を回転させ弛むことで摺動可能となる。
摺動時に保持プレート（６）の状態が不安定ではあるものの花瓶を固定する際に支障を来すこととはならない。しかし操作性を考慮して摺動位置となる底板に僅かな切れ込み（図６参照）を設けることで安定した摺動状態とすることができる。
【００１６】
花瓶の大きさに対応するために保持具（５）の高さを変更することで、２箇所の高さを使い分けることができる（図３、４参照）。この２箇所の高さは通常の家庭で使われる花瓶の高さ、例えば３０センチメートル以内に対応できるものであり、低い位置が３センチメートルであり、高い位置が７センチメートル等である。そこで特に大きな花瓶や高い花瓶の場合、当然底板も大きなもので対応する必要があり、高さを可変として多様性を備えるよりもコストやスペースの有効性を重視し、例えば中型用と大型用とに規格を分ける方法が最適と考えられる。保持プレート（６）の高低を入れ替える方法としては幾つかの容易な方法があり、ここでは省略する。
【００１７】
次に花瓶と保持プレート（６）との支持状態について考察すると、花瓶が曲線形状の場合、保持プレート（６）の最頂部のみが支持し全体の面で支持する形状ではない。これはあえてこの状態を利用するものであり、仮に保持プレート（６）の、花瓶と接触する面が傾斜する構造として、花瓶との接触面を広くしたとしても、個々の花瓶の曲線となる曲線形状は様々であり、例え保持プレート（６）の接触面を湾曲状としたとしても、接触面は然程広くなるものではない。また接触面を湾曲状とした場合、接触面は当然最頂部ではなく、それより稍低い位置となる。
【００１８】
これらを綜合すると、花瓶と保持プレート（６）との支持部に加わる力は非常に少なく僅かな支持部にて対応でき、また保持プレート（６）が直立することで支持部は保持プレート（６）の最頂部に位置し最も安定した状態といえる。また保持プレート（６）の構造を、可動式傾斜型としてもコスト面でのリスクは大きく、効果においても必然性を欠くものと考えられる。
【００１９】
そこで１つの効果的な方法として考えられるのが発条を応用する方法である。例えば保持プレート（６）の素材に板バネを利用し、滑り止めとして板ゴムの保持パッド（７）を貼付する。この構造によると保持プレート（６）の最頂部において支持し、且つ少しの面とし、また加圧した状態で支持することも可能である。しかし力が加わった場合保持プレート（６）が撓むため花瓶も傾きやすく、必ずしも最適とは断定できない。
【００２０】
最後に保持パッド（７）について、１つの考察として、仮に非常に柔らかいスポンジ状の素材を利用すると、花瓶の形状に対応しやすく接触面積も広く、ずれにくい構造といえる。しかし発泡性の素材であることから花瓶の水がこぼれた時や花粉等が付着した場合、汚れが落ちにくく、特に飲食店のカウンター等には不衛生となるためあえて利用形態は記載していない。
【符号の説明】
【００２１】
１    底板
２    外周脚部
３    中央脚部
４    スライドレール
５    保持具
５ａ  保持具低
５ｂ  保持具高
６    保持プレート
７    保持パッド
８    固定ボルト
８ａ  つまみ部
８ｂ  ネジ山部
９    ナット
【図１】
2018143676.tif 000003
【図２】
2018143676.tif 000004
【図３】
2018143676.tif 000005
【図４】
2018143676.tif 000006
【図５】
2018143676.tif 000007
【図６】
2018143676.tif 000008
【図７】
2018143676.tif 000009